(57)【要約】【課題】従来の加熱調理装置では全体が一体に形成されているので、例えばグリル庫を希望しない顧客に対してはグリル庫を備えていない別個の機種を設定しなければならないという不具合が生じる。また、加熱部の個数などのバリエーションが増えると、各バリエーション毎にグリル庫の有無が相違する機種を設定しなければならず、機種が増加するという不具合が生じていた。【解決手段】カウンタトップに開設された取付穴に取り付けられ、電磁誘導により調理器具を加熱するＩＨコンロ部と、カウンタトップの下部前面に取り付けられる操作部とを別個に設け、操作部に対してされた操作内容を無線通信によりＩＨコンロ部に送信し、ＩＨコンロ部に、受信した操作内容にしたがってＩＨコンロ部の作動を制御する制御部を設けた。【選択図】  図２
2009217972.tif 000002
【特許請求の範囲】
【請求項１】
カウンタトップに開設された取付穴に取り付けられ、電磁誘導により調理器具を加熱するＩＨコンロ部と、カウンタトップの下部前面に取り付けられる操作部とを別個に設け、操作部に対してされた操作内容を無線通信によりＩＨコンロ部に送信し、ＩＨコンロ部に、受信した操作内容にしたがってＩＨコンロ部の作動を制御する制御部を設けたことを特徴とする加熱調理器具。
【請求項２】
上記操作部はグリル部を増設し得るように構成されていることを特徴とする請求項１に記載の加熱調理器具。
【請求項３】
上記無線通信は赤外線通信であり、操作部に設ける発光部とＩＨコンロ部に設ける受光部とは、設置した状態でカウンタトップの下方であって外光が射入しない部分に位置するように設けられたことを特徴とする請求項１または請求項２に記載の加熱調理器具。
【請求項４】
ＩＨコンロ部の作動状態を操作部に送信し、操作部に設けた表示手段にＩＨコンロ部の作動状態を表示する機能を備え、ＩＨコンロ部と操作部との間で双方向通信を行うことを特徴とする請求項１から請求項３のいずれかに記載の加熱調理器具。
【発明の詳細な説明】
【技術分野】
【０００１】
本発明は、電磁誘導により調理器具を加熱するＩＨコンロ部を備えた加熱調理器具に関する。
【背景技術】
【０００２】
従来のこの種の加熱調理器具は台所に設置されたカウンタトップに矩形の取付穴を開設し、その取付穴に吊設している。このような加熱調理器具は調理器具が載置される天板がカウンタトップの条件に位置し、火力調節との操作を行う操作部がカウンタトップの下部に位置するように設けられている。また、魚焼きなどを行うグリル庫が設けられている場合が多く、このようなグリル庫は操作部と同じくカウンタトップの下方に設けられ、前面からグリル庫に被調理物を出し入れするように構成されている。そして、このような加熱調理器具は１個の筐体に各構成部品が取り付けれており、一体に形成されている（例えば、特許文献１参照）。
【特許文献１】特開２００８−２７６０１号公報（図１、図６）
【発明の開示】
【発明が解決しようとする課題】
【０００３】
上記従来の加熱調理装置では全体が一体に形成されているので、例えばグリル庫を希望しない顧客に対してはグリル庫を備えていない別個の機種を設定しなければならないという不具合が生じる。また、天板には２〜３個のコンロが設定されているが、３口のコンロの内の一つをラジェントヒータとするなどのバリエーションを設けると、各バリエーション毎にグリル庫の有無が相違する機種を設定しなければならず、各バリエーションが増える毎に機種が増加するという不具合が生じていた。
【０００４】
そこで本発明は、上記の問題点に鑑み、バリエーションを増やしても機種をいたずらに増やすことなく柔軟に対応することのできる加熱調理器具を提供することを課題とする。
【課題を解決するための手段】
【０００５】
上記課題を解決するために本発明による加熱調理器具は、カウンタトップに開設された取付穴に取り付けられ、電磁誘導により調理器具を加熱するＩＨコンロ部と、カウンタトップの下部前面に取り付けられる操作部とを別個に設け、操作部に対してされた操作内容を無線通信によりＩＨコンロ部に送信し、ＩＨコンロ部に、受信した操作内容にしたがってＩＨコンロ部の作動を制御する制御部を設けたことを特徴とする。
【０００６】
上記構成ではＩＨコンロ部と操作部とを一体に設けずに別途に設けたので、ＩＨコンロ部を取り替えても操作部を取り替える必要がない。
【０００７】
また、上記操作部はグリル部を増設し得るように構成されていれば、グリル庫の有無が相違するバリエーションを設定した場合、操作部のみを交換するだけでよく、ＩＨコンロ部を共用することができる。
【０００８】
なお、上記無線通信は赤外線通信であり、操作部に設ける発光部とＩＨコンロ部に設ける受光部とは、設置した状態でカウンタトップの下方であって外光が射入しない部分に位置するように設けられておれば、比較的小電力で赤外線通信が行え、かつ外光などのノイズやその他の外乱が無いのでさらに小電力にしても安定して通信を行うことができる。
【０００９】
さらに、ＩＨコンロ部の作動状態を操作部に送信し、操作部に設けた表示手段にＩＨコンロ部の作動状態を表示する機能を備え、ＩＨコンロ部と操作部との間で双方向通信を行うようにしてもよい。
【発明の効果】
【００１０】
以上の説明から明らかなように、本発明は、ＩＨコンロ部と操作部とを別個にしたので、コンロ数やグリルの有無などのバリエーションが増えても機種の増加を最低限に抑えることができる。
【発明を実施するための最良の形態】
【００１１】
図１及び図２を参照して、１は本発明による加熱調理器具であるＩＨコンロである。このＩＨコンロ１は木製のカウンタトップＣＴに開設された取付穴Ｗに吊設されているＩＨコンロ部２と、カウンタトップＣＴの下方に設置された操作部３とから構成されている。
【００１２】
ＩＨコンロ部２には本実施の形態では３個の加熱コイルが内蔵されており（図示せず）、天板上に載置された鍋等の調理器具を電磁誘導加熱するものである。各加熱コイルの作動は制御部２１によって行われ、この制御部２１が各加熱コイルに印加される高周波電力の強弱や入切を制御している。
【００１３】
一方、操作部３には操作スイッチ類（図示せず）が設けられており、これら操作スイッチ類に対して調理開始や火力調節等の操作がされると、操作部側制御ユニット３２で各操作内容に対応した信号に変換され、赤外線送受光部３３に送られる。この赤外線送受光部３３では操作部側制御ユニット３２から送られる信号が重畳された赤外線を照射する。ＩＨコンロ部２には赤外線送受光部２２が設けられており、この赤外線送受光部２２で受光された赤外線から重畳されている信号を分離して制御部２１に入力する。制御部２１では入力された操作信号に対応するように上述のように加熱コイルの作動を制御する。
【００１４】
また、ＩＨコンロ部２には例えば鍋底検知機能が備えられており、調理器具が外された場合には自動的に加熱コイルへの通電を停止する機能が備えられている。また、鍋底温度も検知しており、調理器具の温度が異常に高温になった場合には同じく加熱コイルへの通電が自動的に停止される。そしてこのようなＩＨコンロ部２の作動状態は赤外線送受光部２２から赤外線送受光部３３に送信され、操作部３に設けられた表示部に表示される。このように、ＩＨコンロ部２と操作部３との間で赤外線による双方向通信が行われるように構成されている。
【００１５】
図２に示すように、赤外線送受光部３３及び赤外線送受光部２２はカウンタトップの下方に位置し、かつ前後左右が閉塞されているので、外光が赤外線送受光部２２に影響することがない。このため、赤外線送受光部３３の照射する赤外線の強度は比較的小さくても確実に赤外線送受光部２２に受光させることができる。
【００１６】
ところで、図１及び図２に示した実施の形態では、操作部３にグリル部４を設けた。このグリル部４は取手４１が付いた扉を前方へ引き出すことによりグリル庫を開放し、扉の後方に繋がる焼き網上に被調理物を載せて再び扉を閉めるように構成されている。
【００１７】
このようなグリル部４を希望しない利用者に対しては、図３に示すように、グリル部４を搭載しない操作部３を用いればよい。なお、３４はフレームである。また、このようにグリル部４を搭載しない場合に、そのスペースを空けたままでもよいが、グリル部４と同程度の引き出しを設けて、調理小物等を収納できるようにしてもよい。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】ＩＨコンロの構成を示す断面図
【図３】他の実施形態での構成を示す断面図
【符号の説明】
【００２０】
１ コンロ
２ コンロ部
３ 操作部
４ グリル部
２１ 制御部
２２ 赤外線送受光部
３２ 操作部側制御ユニット
３３ 赤外線送受光部
ＣＴ カウンタトップ
【図１】
2009217972.tif 000003
【図２】
2009217972.tif 000004
【図３】
2009217972.tif 000005